(57)【要約】【課題】大面積の液晶表示パネルの製作に対応してクリーンルームの利用効率を増大させ、高速ディスペンシングが可能な液晶表示パネルのディスペンサ及びディスペンシング方法を提供しようとする。【解決手段】少なくとも一つの画像表示部４１３(４１３Ａ、４１３Ｂ．．．)が形成された基板４００、前記基板４００がローディングされるテーブル４１０、前記テーブル４１０との相対的位置関係が変化されるように水平移動しながら、前記基板４００上にシーラントを排出してシールパターン４１６(４１６Ａ、４１６Ｂ．．．)を形成する少なくとも一つのシリンジ４０１(４０１Ａ、４０１Ｂ．．．)を備える液晶表示パネルのディスペンサを構成する。【選択図】図１
2004206128.tif 000002
【特許請求の範囲】
【請求項１】
少なくとも一つの画像表示部が形成された基板と、
前記基板がロードされているテーブル、
そして前記テーブルに対する位置が水平移動により可変で、前記基板上にシーラントを排出してシールパターンを形成する少なくとも一つのシリンジ、
からなることを特徴とする液晶表示パネルのディスペンサ。
【請求項２】
前記基板には、少なくとも一つの薄膜トランジスタアレイ基板が形成されていることを特徴とする請求項１記載の液晶表示パネルのディスペンサ。
【請求項３】
前記基板には、少なくとも一つのカラーフィルタ基板が形成されていることを特徴とする請求項１記載の液晶表示パネルのディスペンサ。
【請求項４】
前記画像表示部は、M行×N列の行列状に基板に形成され、前記シリンジは、M行×N列の行列状に画像表示部に対応して備えられていることを特徴とする請求項１記載の液晶表示パネルのディスペンサ。
【請求項５】
前記画像表示部は、M行×N列の行列状に基板に形成され、前記シリンジは、M行×N列状に画像表示部の少なくとも一行、または少なくとも一列に行毎又は列毎に対応して備えられていることを特徴とする請求項１記載の液晶表示パネルのディスペンサ。
【請求項６】
前記M行×N列の行列状の画像表示部に対応する複数のシリンジは、同時に駆動されるか、または個別的に駆動されることを特徴とする請求項４記載の液晶表示パネルのディスペンサ。
【請求項７】
前記複数の画像表示部は、少なくとも２種類の異なるサイズを有することを特徴とする請求項４記載の液晶表示パネルのディスペンサ。
【請求項８】
前記シールパターンは、一部が開放されていることを特徴とする請求項１記載の液晶表示パネルのディスペンサ。
【請求項９】
前記シールパターンは、前記画像表示部の外郭を取り囲む閉鎖されたパターンであることを特徴とする請求項１記載の液晶表示パネルのディスペンサ。
【請求項１０】
前記シーラントは、紫外線硬化性シーラントであることを特徴とする請求項１記載の液晶表示パネルのディスペンサ。
【請求項１１】
前記シーラントは、紫外線硬化性シーラント及び熱硬化性シーラントであることを特徴とする請求項１記載の液晶表示パネルのディスペンサ。
【請求項１２】
M行×N列の行列状の画像表示部が形成された基板をテーブルにローディングする段階及び、
前記テーブルを固定した状態で、Ｎ個及びＭ個のシリンジを使用し、前記少なくとも１つのシリンジを移動することにより、前記基板上にディスペンシング物質を排出する段階、
を含んでなることを特徴とする液晶表示パネルのディスペンシング方法。
【請求項１３】
前記基板上にディスペンシング物質を排出する段階は、Ｎ×Ｍ個のシリンジを使用してシールパターンを形成することを含む請求項１２記載の液晶表示パネルのディスペンシング方法。
【請求項１４】
前記M行×N列の行列を有する画像表示部に対応する個数のシリンジは、同時に駆動されるか、または個別的に駆動されることを特徴とする前記ディスペンシング物質を前記基板上に排出する段階は前記Ｍ行×Ｎ列の行列に対応する個数のシリンジは 画像表示部 の少なくとも１つの行又は少なくとも１つの列を行毎又は列毎に 排出することを含む請求項１２記載の液晶表示パネルのディスペンシング方法。
【請求項１５】
前記 ディスペンシング物質を前記基板上に排出する段階は、前記シリンジを 同時に移動させることを含む請求項１２記載の液晶表示パネルのディスペンシング方法。
【請求項１６】
ディスペンシング物質を前記基板上に排出する段階は、前記画像表示部の第１サイズに対応する第１グループの前記シリンジを移動させること及び、
前記画像表示部の第２サイズに対応する第２グループの前記シリンジを移動させることを含んでなることを 特徴とする請求項１2記載の液晶表示パネルのディスペンシング方法。
【請求項１７】
前記第１のサイズは前記第２サイズと異なることを特徴とする請求項１6記載の液晶表示パネルのディスペンシング方法。
【発明の詳細な説明】
【技術分野】
【０００１】
本発明は、液晶表示パネルのディスペンサ及びディスペンシング方法に係るもので、詳しくは、大面積の液晶表示パネルの製作に対応してクリーンルームの利用効率を増大させ、高速ディスペンシングを可能にした液晶表示パネルのディスペンサ及びディスペンシング方法に関するものである。
【背景技術】
【０００２】
一般に、液晶表示装置は、マトリックス状に配列された各液晶セルに画像情報に関するデータ信号を個別に供給して、それら液晶セルの光透過率を調節することによって、所望の画像を表示できるようにした表示装置である。
【０００３】
このような液晶表示装置は、画素単位の複数の液晶セルがマトリックス状に配列された液晶表示パネル、それら液晶セルを駆動するドライバ集積回路を備える。
【０００４】
前記液晶表示パネルは、互いに対向するカラーフィルタ基板及び薄膜トランジスタアレイ基板、それらカラーフィルタ基板と薄膜トランジスタアレイ基板との離隔間隔に充填された液晶層と、から構成される。
【０００５】
また、前記液晶表示パネルの薄膜トランジスタアレイ基板上には、データドライバ集積回路から供給されるデータ信号を液晶セルに伝送するための多数のデータラインと、ゲートドライバ集積回路から供給される走査信号を液晶セルに伝送するための多数のゲートラインとが互いに直交し、それらデータラインとゲートラインとの交差部毎に液晶セルが定義される。
【０００６】
前記ゲートドライバ集積回路は、前記多数のゲートラインに走査信号を順次供給することによって、マトリックス状に配列された液晶セルが一つのラインずつ順次選択されるようにし、その選択された一つのラインの各液晶セルには、前記データドライバ集積回路からデータ信号が供給される。
【０００７】
一方、前記カラーフィルタ基板と薄膜トランジスタアレイ基板が対向する内側面には、共通電極及び画素電極がそれぞれ形成され、前記液晶層に電界を印加する。このとき、前記画素電極は、前記薄膜トランジスタアレイ基板上に液晶セル別に形成される反面、前記共通電極は、前記カラーフィルタ基板の全面に一体化されて形成される。よって、前記共通電極に電圧を印加した状態で前記画素電極に印加される電圧を制御することによって、各液晶セルの光透過率を個別的に調節できるようになる。
【０００８】
このように、前記画素電極に印加される電圧を液晶セル別に制御するため、各液晶セルには、スイッチング素子として使用される薄膜トランジスタが形成される。
【０００９】
以下、このような液晶表示装置の構成要素について、図面に基づいて説明する。
【００１０】
図３は、液晶表示装置の薄膜トランジスタアレイ基板とカラーフィルタ基板が対向して合着された単位液晶表示パネルの概略的な平面構造を示した例示図で、図示されたように、液晶表示パネル１００は、液晶セルがマトリックス状に配列された画像表示部１１３、前記画像表示部１１３のゲートラインと接続されるゲートパッド部１１４前記画像表示部１１３のデータラインと接続されるデータパッド部１１５と、から構成される。ここで、前記ゲートパッド部１１４及びデータパッド部１１５は、カラーフィルタ基板１０２と重ならない薄膜トランジスタアレイ基板１０１の周縁領域に形成され、前記ゲートパッド部１１４は、ゲートドライバ集積回路から供給される走査信号を前記画像表示部１１３の各ゲートラインに供給し、前記データパッド部１１５は、データドライバ集積回路から供給される画像情報を前記画像表示部１１３の各データラインに供給する。
【００１１】
また、前記画像表示部１１３の薄膜トランジスタアレイ基板１０１には、画像情報が印加されるデータラインと走査信号が印加されるゲートラインとが互いに垂直に交差して配置され、その交差部に、液晶セルをスイッチングするための薄膜トランジスタ、前記薄膜トランジスタに接続されて液晶セルを駆動する画素電極、それら電極及び薄膜トランジスタを保護するために全面に形成された保護膜が備わる。
【００１２】
また、前記画像表示部１１３のカラーフィルタ基板１０２には、ブラックマトリックスによりセル領域別に分離されて塗布された複数のカラーフィルタ、前記薄膜トランジスタアレイ基板１０１に形成された画素電極の相手電極である共通透明電極が備わる。
【００１３】
このように構成された薄膜トランジスタアレイ基板１０１及びカラーフィルタ基板１０２が、スペーサによるセルギャップにより所定間隔だけ離隔され、前記画像表示部１１３の外郭に形成されたシールパターン１１６により合着されることによって、単位液晶表示パネルが構成される。
【００１４】
このような単位液晶表示パネルの製作において、収率を向上させるため、大面積の母基板に複数の単位液晶表示パネルを同時に形成する方式が一般に適用されている。よって、前記複数の液晶表示パネルが製作された母基板を切断及び加工して、大面積の母基板から単位液晶表示パネルを分離する工程が要求される。
【００１５】
前記大面積の母基板から分離された単位液晶表示パネルには、液晶注入口を通して液晶を注入して、前記薄膜トランジスタアレイ基板１０１とカラーフィルタ基板１０２とが離隔されるセルギャップに液晶層を形成し、前記液晶注入口を密封する。
【００１６】
このように単位液晶表示パネルを製作するためには、前記薄膜トランジスタアレイ基板１０１及びカラーフィルタ基板１０２を個別的に製作し、それら薄膜トランジスタアレイ基板１０１及びカラーフィルタ基板１０２をセルギャップが均一に維持されるように合着した後、単位液晶表示パネルに切断し、液晶を注入する工程が要求される。
【００１７】
特に、前記薄膜トランジスタアレイ基板１０１とカラーフィルタ基板１０２とを合着するためには、前記画像表示部１１３の外郭にシールパターン１１６を形成する工程が要求されるが、以下、関連技術のシールパターン１１６の形成方法について、図面に基づいて説明する。
【００１８】
図４(A)及び図４(B)は、シールパターンを形成するためのスクリーン印刷方法の例示図で、図示されたように、複数のシールパターン２１６A〜２１６Fの形成領域が選択的に露出されるようにパターニングされたスクリーンマスク２０６と、前記スクリーンマスク２０６により基板２００にシーラント２０３を選択的に供給して複数のシールパターン２１６A〜２１６Fを同時に形成するゴムローラ２０８が備わる。
【００１９】
前記基板２００に形成された複数のシールパターン２１６A〜２１６Fは、液晶層を形成するためのギャップを設け、液晶が画像表示部２１３A〜２１３Fの外部に漏洩されることを防止する。よって、前記複数のシールパターン２１６A〜２１６Fは、前記基板２００の画像表示部２１３A〜２１３Fの周縁に沿って形成され、一側に液晶注入口２０４A〜２０４Fが形成される。
【００２０】
このようなスクリーン印刷方法は、複数のシールパターン２１６A〜２１６Fの形成領域がパターニングされたスクリーンマスク２０６上にシーラント２０３を塗布し、ゴムローラ２０８により印刷して、基板２００上に複数のシールパターン２１６A〜２１６Fを形成する段階、前記複数のシールパターン２１６A〜２１６Fに含有された溶媒を蒸発させてレベリングする乾燥段階からなる。
【００２１】
前記スクリーン印刷方法は、工程の便宜性が優秀で普遍的に用いられているが、スクリーンマスク２０６の全面にシーラント２０３を塗布し、ゴムローラ２０８により印刷して、複数のシールパターン２１６A〜２１６Fを同時に形成することによって、シーラント２０３の消費量が多くなるという欠点があった。
【００２２】
また、前記スクリーンマスク２０６と基板２００とが接触されることによって、基板２００上に形成された配向膜(図示せず)にラビング不良が発生して、液晶表示装置の画質が低下するという欠点があった。
【００２３】
従って、このようなスクリーン印刷方法の欠点を補完するため、シールディスペンシング方法が提案された。
【００２４】
図５は、シールパターンを形成するためのシールディスペンシング方法の例示図で、図示されたように、基板３００がローディングされたテーブル３１０を前後左右方向に移動させながら、シーラントが充填された複数のシリンジ３０１A〜３０１Cに所定圧力を印加することによって、前記基板３００上に形成された各画像表示部３１３A〜３１３Fの周縁に沿ってシールパターン３１６A〜３１６Fを形成する。このとき、シールパターン３１６A〜３１６Fは、画像表示部３１３A〜３１３Fの行単位で順次形成される。
【００２５】
前記シールディスペンシング方法は、シールパターン３１６A〜３１６Fを形成すべき領域にのみ選択的にシーラントを供給することによって、シーラントの消費量を減少させることができ、シリンジ３０１A〜３０１Cと画像表示部３１３A〜３１３Fとが互いに接触されないため、配向膜(図示せず)のラビング不良が防止されて、液晶表示装置の画質を向上させることができる。
【００２６】
関連技術においては、前記シリンジ３０１A〜３０１Cを固定させ、基板３００がローディングされたテーブル３１０を前後左右方向に水平移動させながら、シーラントが充填されたシリンジ３０１A〜３０１Cに所定圧力を印加することによって、前記基板３００の画像表示部３１３A〜３１３Fの外郭に沿ってシールパターン３１６A〜３１６Fを形成した。
【発明の開示】
【発明が解決しようとする課題】
【００２７】
然るに、前記シリンジ３０１A〜３０１Cを固定させ、基板３００がローディングされたテーブル３１０を前後左右方向に水平移動させてシールパターン３１６A〜３１６Fを形成する関連技術には次のような問題点がある。
【００２８】
第一に、最近、液晶表示パネルの大型化によって、大面積の液晶表示パネルを製作するための基板３００の面積も共に増加している。このような大面積の基板３００上にシールパターン３１６A〜３１６Fを形成するためには、テーブル３１０の駆動距離は、略基板３００の短辺の２倍程度にならなければならない。よって、基板３００の短辺が２倍長くなる場合、テーブル３１０の駆動距離は４倍長くなるため、基板３００の面積が２倍増加する場合、テーブル３１０を駆動させるためディスペンサが占める面積が４倍確保されなければならないので、クリーンルームの利用効率が低下するという問題点があった。
【００２９】
第二に、大面積の基板３００がローディングされたテーブル３１０を前後左右方向に水平移動させることによって、シールパターン３１６A〜３１６Fの形成に所要する時間が長くなり、生産性を低下させるという問題点があった。
【００３０】
本発明は、このような関連技術の課題に鑑みてなされたもので、大面積の液晶表示パネルの製作に対応してクリーンルームの利用効率を増大させ、高速ディスペンシングが可能な液晶表示パネルのディスペンサ及びディスペンシング方法を提供することを目的とする。 
【課題を解決するための手段】
【００３１】
このような目的を達成するため、本発明に係る液晶表示パネルのディスペンサにおいては、少なくとも一つの画像表示部が形成された基板と、前記基板がローディングされるテーブル、前記テーブルとの相対的位置関係が変化されるように水平移動しながら、前記基板上にシーラントを排出してシールパターンを形成する少なくとも一つのシリンジを備えて構成されることを特徴とする。
【００３２】
また、本発明に係る液晶表示パネルのディスペンシング方法においては、M行×N列の画像表示部が形成された基板をテーブルにローディングする段階と、前記テーブルを固定した状態で、Ｎ個及びＭ個のシリンジの１つを使用して少なくとも１つのシリンジを移動させることにより、前記基板上にディスペンシング物質を排出する段階を含んでなることを特徴とする。
【発明の効果】
【００３３】
以上説明したように、本発明に係る液晶表示パネルのディスペンサ及びディスペンシング方法においては、シリンジを駆動させてテーブルにローディングされた基板上にシールパターンを形成する。
【００３４】
よって、関連技術のテーブルを駆動させる方式に比べて、基板の面積が増加する場合も、ディスペンサが占める空間を最小化してクリーンルームの利用効率を向上できるという効果があり、シールパターンの形成に所要する時間を短縮することで生産性を向上できるという効果がある。
【００３５】
また、基板上に互いに異なるサイズを有する液晶表示パネルを同時に製作する方式に非常に効果的に対処することができ、互いに異なるサイズを有する画像表示部の外郭にシールパターンを形成する時間を短縮することで生産性を向上できるという効果がある。
【発明を実施するための最良の形態】
【００３６】
以下、本発明の実施の形態について、図面に基づいて説明する。
【００３７】
図１は、本発明に係る液晶表示パネルのディスペンサを示した例示図で、図示されたように、上面に複数の画像表示部４１３A〜４１３Fが形成された基板４００をローディングして固定させるテーブル４１０、前記テーブル４１０との位置が水平移動により可変で、一端部に備えられたノズル４０２A〜４０２Cを通して前記基板４００の画像表示部４１３A〜４１３Fの外郭に沿ってシーラントを排出してシールパターン４１６A〜４１６Fを形成する複数のシリンジ４０１A〜４０１Cから構成される。
【００３８】
前記基板４００は、複数の薄膜トランジスタアレイ基板が製作された大面積のガラス材の第１母基板、または複数のカラーフィルタ基板が製作された大面積のガラス材の第２母基板が適用されることができる。
【００３９】
前記シリンジ４０１A〜４０１Cは、テーブル４１０との位置が前後左右方向に水平移動により可変で、一端部に備えられたノズル４０２A〜４０２Cを通して前記基板４００の画像表示部４１３A〜４１３Fの外郭に沿ってシーラントを供給して複数のシールパターン４１６A〜４１６Fを形成する。
【００４０】
前記シリンジ４０１A〜４０１Cは、前記基板４００上に形成された画像表示部４１３A〜４１３Fに対応する個数を備えることで、画像表示部４１３A〜４１３Fの外郭に沿って複数のシールパターン４１６A〜４１６Fを同時に形成することができる。
【００４１】
例えば、前記基板４００上に形成される画像表示部４１３A〜４１３Fが、図１と異なって、M行×N列の行列状に形成される場合、該画像表示部４１３A〜４１３M×Nの全領域に対応するように、M×N個のシリンジ４０１A〜４０１M×Nを備えることができる。
【００４２】
一方、前記シリンジ４０１A〜４０１M×Nは、前記M行×N列の行列状の画像表示部４１３A〜４１３M×Nの少なくとも一行、または少なくとも一列に対応する個数を備えることができる。
【００４３】
また、前記基板４００上に形成される画像表示部４１３A〜４１３M×Nの全領域に対応するように備えられたシリンジ４０１A〜４０１M×Nは、同時に駆動されるか、または個別的に駆動されることができる。
【００４４】
本発明に係る液晶表示パネルのディスペンシング方法においては、テーブル４１０に基板４００をローディングして固定させた後、テーブル４１０を固定した状態でシリンジ４０１A〜４０１Cを前後左右方向に水平移動させながらシーラントを排出して、基板４００の画像表示部４１３A〜４１３Fの外郭に沿ってシールパターン４１６A〜４１６Fを形成する。このとき、シールパターン４１６A〜４１６Fを形成するためのシリンジ４０１A〜４０１Cの駆動は、基板４００の面積内で行われる。
【００４５】
よって、クリーンルームでディスペンサが占める面積が基板４００の面積と同じようになって、基板４００の面積が増加する場合も、関連技術に比べて影響を大きく受けないようになることによって、クリーンルームの利用効率を向上させることができる。
【００４６】
また、本発明に係る液晶表示パネルのディスペンシング方法においては、前記基板４００上に形成される画像表示部４１３A〜４１３M×Nの全領域に対応するように備えられたシリンジ４０１A〜４０１M×Nが同時に駆動されるか、または個別的に駆動されてシールパターン４１６A〜４１６M×Nを形成することによって、関連技術のテーブル３１０を駆動させる方式に比べて、シールパターン４１６A〜４１６M×Nの形成に所要する時間を短縮することができ、液晶表示パネルのモデルの変更、または基板４００の面積の増加により、画像表示部４１３A〜４１３M×Nの面積が変更される場合に効果的に対処できるようになる。
【００４７】
一方、前記本発明に係る液晶表示パネルのディスペンサにより形成されるシールパターン４１６A〜４１６Fは、液晶表示パネルに液晶層を形成する方式によって形態が異なるようになり、液晶表示パネルに液晶層を形成する方式は、真空注入方式と滴下方式とに大別される。
【００４８】
前記真空注入方式は、大面積の母基板から分離された単位液晶表示パネルの液晶注入口を、所定の真空が設定されたチャンバ内で、液晶の充填された容器に浸液した後、真空程度を変化させることで、液晶表示パネルの内部と外部間の圧力差により液晶を液晶表示パネルの内部に注入させる方式であって、このように液晶が液晶表示パネルの内部に充填されると、液晶注入口を密封させて液晶表示パネルの液晶層を形成する。
【００４９】
前記真空注入方式における液晶注入口は、前記シールパターン４１６A〜４１６Fの一側が開放された領域と定義される。よって、液晶表示パネルに真空注入方式により液晶層を形成する場合は、図１に示されたシールパターン４１６A〜４１６Fは、図５に示されたシールパターン３１６A〜３１６Fと同様に、一部が開放されるように形成して、液晶注入口の機能を有するようにしなければならない。
【００５０】
然し、このような真空注入方式には次のような問題点がある。
【００５１】
第一に、液晶表示パネルに液晶を充填する時間が非常に長い。一般に、合着された液晶表示パネルは、数百ｃｍ２の面積に数μm程度のギャップを有するため、圧力差を利用した真空注入方式を適用する場合も、単位時間当たりの液晶の注入量は非常に少ない。例えば、約１５インチの液晶表示パネルを製作する場合、液晶の充填に約８時間程度が所要することによって、液晶表示パネルの製作に多くの時間を所要して、生産性が低下するという問題点があった。また、液晶表示パネルが大型化されるほど、液晶の充填に所要する時間が長くなり、液晶の充填不良が発生して、結果的に液晶表示パネルの大型化に対応できないという問題点があった。
【００５２】
第二に、液晶の消耗量が高い。一般に、容器に充填された液晶量に比べて実際に液晶表示パネルに注入される液晶量が非常に少なく、液晶が大気や特定ガスに露出されると、ガスと反応して劣化する。よって、容器に充填された液晶が複数の液晶表示パネルに充填されるとしても、充填後に残留する多い量の液晶を廃棄しなければならず、このように高価の液晶が廃棄されることによって、結果的に液晶表示パネルの単価が上昇して、製品の価格競争力を弱化させる要因となる。
【００５３】
このような真空注入方式の問題点を克服するため、最近、滴下方式が適用されている。
【００５４】
前記滴下方式は、複数の薄膜トランジスタアレイ基板が製作される大面積の第１母基板、または複数のカラーフィルタ基板が製作される大面積の第２母基板の画像表示領域内に、液晶を滴下及び分配し、前記第１、第２母基板を合着する圧力により、液晶が画像表示領域全体に均一に分布されるようにすることで、液晶層を形成する方式である。
【００５５】
即ち、液晶表示パネルに滴下方式により液晶層を形成する場合は、液晶が外部から充填されず基板上に直接滴下されるため、シールパターン４１６A〜４１６Fは、液晶が画像表示部４１３A〜４１３Fの外部に漏洩されることを防止できるように、図１に示したように、各画像表示部４１３A〜４１３Fの外郭を取り囲む閉鎖されたパターンに形成しなければならない。
【００５６】
前記滴下方式は、前記真空注入方式に比べて短い時間に液晶を滴下することができ、液晶表示パネルが大型化される場合も液晶層を非常に迅速に形成することができる。
【００５７】
また、基板４００上に液晶を必要量のみ滴下するため、前記真空注入方式のような高価の液晶の廃棄による液晶表示パネルの単価上昇を防止して、製品の価格競争力を強化させる。
【００５８】
前記滴下方式が適用された液晶表示パネルは、前記真空注入方式と異なって、液晶層が形成された後に、複数の薄膜トランジスタアレイ基板が製作される大面積の第１母基板、または複数のカラーフィルタ基板が製作される大面積の第２母基板を合着し、単位液晶パネルを分離する工程が進行される。
【００５９】
前記滴下方式が適用される場合、シールパターン４１６A〜４１６Fを熱硬化性シーラントから形成すると、液晶表示パネルを合着する後続工程でシーラントが加熱される間そのパターンから拡散されて、滴下された液晶が汚染される恐れがある。よって、前記滴下方式が適用される場合、シールパターン４１６A〜４１６Fは、紫外線硬化性シーラントを適用することが好ましく、または紫外線硬化性シーラントと熱硬化性シーラントとが混合されたシーラントを適用することもできる。
【００６０】
一方、前記本発明に係る液晶表示パネルのディスペンサは、一つの基板上に互いに異なるサイズを有する液晶表示パネルを同時に製作する方式において、シールパターンを形成する場合に非常に効果的に適用することができる。例えば、基板上に第１サイズの液晶表示パネルのみを製作する場合、その第１サイズの液晶表示パネルを製作できない領域は廃棄されることになり、基板の利用効率が低下する。よって、前記第１サイズの液晶表示パネルを製作できない領域に、その第１サイズより小さい第２サイズの液晶表示パネルを製作することで、基板の利用効率を向上させることができる。以下、基板上に互いに異なるサイズを有する液晶表示パネルを製作する方式について説明する。
【００６１】
図２(A)〜図２(D)は、前記基板上に互いに異なるサイズを有する液晶表示パネルを製作する場合、本発明に係る液晶表示パネルのディスペンシング方法を順次示した例示図である。
【００６２】
まず、図２(A)に示したように、基板５００上に第１サイズを有する画像表示部５１３A〜５１３C及び第２サイズを有する画像表示部５１３D〜５１３Gを形成する。前述したように、基板５００上に第１サイズを有する画像表示部５１３A〜５１３Cのみを形成する場合は、第２サイズを有する画像表示部５１３D〜５１３Gが形成された領域は廃棄することになり、基板５００の利用効率が低下するため、前記第１サイズより小さい第２サイズの画像表示部５１３D〜５１３Gを前記基板５００の廃棄される領域に形成することで利用効率を極大化する。
【００６３】
その後、図２(B)に示したように、前記第１サイズを有する画像表示部５１３A〜５１３C及び第２サイズを有する画像表示部５１３D〜５１３Gが形成された基板５００をテーブル５１０にローディングして固定させる。
【００６４】
次いで、図２(C)に示したように、シリンジ５０１A〜５０１Cを前後左右方向に水平移動させながら、前記基板５００の第１サイズを有する画像表示部５１３A〜５１３Cの外郭に沿ってシーラントを排出して、シールパターン５１６A〜５１６Cを形成する。
【００６５】
その後、図２(D)に示したように、シリンジ５０１D〜５０１Gを前後左右方向に水平移動させながら、前記基板５００の第２サイズを有する画像表示部５１３D〜５１３Gの外郭に沿ってシーラントを排出して、シールパターン５１６D〜５１６Gを形成する。
【００６６】
前述したように、本発明に係る液晶表示パネルのディスペンサは、基板上に互いに異なるサイズを有する液晶表示パネルを同時に製作する方式において、互いに異なるサイズを有する画像表示部の外郭に沿ってシールパターンを形成する場合に非常に効果的に対処することができる。
【００６７】
前記図２(A)〜図２(D)においては、一つのテーブルに基板をローディングして固定させ、第１サイズの画像表示部の外郭に沿ってシールパターンを形成した後、第２サイズの画像表示部の外郭に沿ってシールパターンを形成した。
【００６８】
然し、前記図２(A)〜図２(D)と異なって、互いに独立に駆動される第１、第２テーブルを用いて、まず、第１テーブルに基板をローディングして固定させ、第１サイズの画像表示部の外郭に沿ってシールパターンを形成した後、第２テーブルに基板をローディングして固定させ、第２サイズの画像表示部の外郭に沿ってシールパターンを形成することもできる。
【図面の簡単な説明】
【００６９】
【図１】本発明に係る液晶表示パネルのディスペンサの第１実施形態を示した例示図である。
【図２Ａ】本発明に係る液晶表示パネルのディスペンサの第２実施形態を利用したディスペンシング方法を順次示した例示図である。
【図２Ｂ】本発明に係る液晶表示パネルのディスペンサの第２実施形態を利用したディスペンシング方法を順次示した例示図である。
【図２Ｃ】本発明に係る液晶表示パネルのディスペンサの第２実施形態を利用したディスペンシング方法を順次示した例示図である。
【図２Ｄ】本発明に係る液晶表示パネルのディスペンサの第２実施形態を利用したディスペンシング方法を順次示した例示図である。
【図３】液晶表示装置の薄膜トランジスタアレイ基板とカラーフィルタ基板が対向して合着された単位液晶表示パネルの概略的な平面構造を示した例示図である。
【図４Ａ】関連技術のスクリーン印刷方法によりシールパターンを形成する例を示した例示図である。
【図４Ｂ】関連技術のスクリーン印刷方法によりシールパターンを形成する例を示した例示図である。
【図５】関連技術のシールディスペンシング方法によりシールパターンを形成する例を示した例示図である。
【符号の説明】
【００７０】
４００：基板
４１０：テーブル
４０１A〜４０１C：シリンジ
４０２A〜４０２C：ノズル
４１３A〜４１３F：画像表示部
４１６A〜４１６F：シールパターン
【図１】
2004206128.tif 000003
【図２Ａ】
2004206128.tif 000004
【図２Ｂ】
2004206128.tif 000005
【図２Ｃ】
2004206128.tif 000006
【図２Ｄ】
2004206128.tif 000007
【図３】
2004206128.tif 000008
【図４Ａ】
2004206128.tif 000009
【図４Ｂ】
2004206128.tif 000010
【図５】
2004206128.tif 000011